(57)【特許請求の範囲】
【請求項１】
断熱壁(3) と、断熱壁(3) の外部を覆う外壁(4) と、断熱壁(3) の内側を覆い部屋空間(5) を形成する内装壁(6) と、排気を集める排気集合部(8) と、排気集合部(8) と家屋外部と連絡する排気孔(9) と、排気集合部(8) に配設されたコンプレッサなどの排気手段(10)と、外壁(4) と断熱壁(3) との間に設けられた第１通気路(11)と、第１通気路(11)と家屋外部とを連絡する外気取り入れ部(12)と、部屋空間(5) と排気集合部(8) とを連絡する第２連絡孔(13)と、断熱壁(3) と内装壁(6) との間に設けられた第２通気路(14)と、内装壁(6) に設けられ当該第２通気路(14)と部屋空間(5) とを連絡する第１連絡孔(15)とを備え、
断熱壁(3) については、その全体がほぼ均一な通気性を有する素材にて形成され、排気手段(10)にて、外気取り入れ部(12)から第１通気路(11)内へ取り入れた外気を、断熱壁(3) 自身が、吸気用の通気路として、第２通気路(14)へ導入し、更に第１連絡孔(15)より部屋空間(5) へ当該外気を導入し、第２連絡孔(13)より排気集合部(8) へ部屋空間(5) 内の空気を移行させ、上記の排気孔(9) より外部へ排出することを特徴とする家屋。
【請求項２】
上記の断熱壁(3) は、気密２乃至３の素材にて形成されたことを特徴とする請求項１記載の家屋。
【請求項３】
部屋空間(5) の外部に、空気を浄化する浄化手段(28)が設けられ、部屋空間(5) と浄化手段(28)との間には、部屋空間(5) で生じた排気の少なくとも一部を浄化手段(28)へ排出する内排気路(29)と、浄化手段(26)にて浄化された空気を部屋空間(5) へ戻す再帰路(30)とが形成されたことを特徴とする請求項１又は２記載の家屋。
【発明の詳細な説明】
【０００１】
【発明の属する技術分野】
本願発明は、家屋に関し、詳しくは木造の住宅家屋に関する。
【０００２】
【従来の技術】
木造の住宅家屋について、従来の日本建築では、自然の通気性を重視するものであり、コンプレッサなどの換気設備を設置することを前提とした、家屋内部の積極的な換気効率の向上の観点が欠如していた。
従って、住宅家屋における換気は、エネルギー消費の高い、極めて効率の悪いものとなっていた。
【０００３】
具体的には、外気の導入（吸気）と、導入した空気の排出（排気）とは、夫々にその手段が講ぜられており、吸気用のコンプレッサと、排気用のコンプレッサの２台のコンプレッサを用意し、しかも夫々に送風出力の大きな専用のものを必要とした。
【０００４】
この点を解決しようと、マンションやビル建築などと同様に、住宅家屋の壁全体を全く通気性を持たない完全に気密（気密０）なものとし、壁の特定箇所のみに吸気用の通気孔と、壁の他の特定箇所のみに排気用の通気孔を形成して、外気の導入・排出の通路について、この特定箇所以外の通気路を排除するようにすれば、これらの箇所以外での空気抜けがなくなって吸気と排気とが連動し、吸気すればその分同時に排気も行われることとなり、一つのコンプレッサで或いは低出力のコンプレッサで換気を行うことが可能になると考えられる。
【０００５】
しかし、木造建築の住宅において、壁の特定箇所のみにて家屋からの空気の出し入れを行い、壁の他の箇所を全く換気に関与させないものとすれば、湿度の高いわが国の風土にあっては、湿気が壁に偏在することとなり、このような湿気にて家屋の寿命を縮め、またカビやダニ、或いは他の害虫の発生を招来するものとなる。
結局、このような湿気の問題を考慮すれば、上記従来の換気効率の悪さは、避けがたいものであるとの認識が当業者間において支配的であった。
【０００６】
【発明が解決しようとする課題】
そこで、本願の発明者は、木造建築の住宅家屋において、湿気排除と換気効率の向上との両立を可能として、上記課題の解決を図った。
【０００７】
【課題を解決するための手段】
本願第１の発明に係る家屋では、断熱壁３と、断熱壁３の外部を覆う外壁４と、断熱壁３の内側を覆い部屋空間５を形成する内装壁６と、排気を集める排気集合部８と、排気集合部８と家屋外部と連絡する排気孔９と、排気集合部８に配設されたコンプレッサなどの排気手段１０と、外壁４と断熱壁３との間に設けられた第１通気路１１と、第１通気路１１と家屋外部とを連絡する外気取り入れ部１２と、部屋空間５と排気集合部８とを連絡する第２連絡孔１３と、断熱壁３と内装壁６との間に設けられた第２通気路１４と、内装壁６に設けられ当該第２通気路１４と部屋空間５とを連絡する第１連絡孔１５とを備えものである。上記断熱壁３については、その全体がほぼ均一な通気性を有する素材にて形成され、排気手段１０にて、外気取り入れ部１２から第１通気路１１内へ取り入れた外気を、断熱壁３自身が、吸気用の通気路として、第２通気路１４へ導入し、更に第１連絡孔１５より部屋空間５へ当該外気を導入し、第２連絡孔１３より排気集合部８へ部屋空間５内の空気を移行させ、上記の排気孔９より外部へ排出するものである。
尚、本願明細書において、吸気とは、外気を部屋空間へ向けて移動させることをいい、外気を家屋に取り入れることのみを指すものではない。
【０００８】
このような構成を採る本願第１の発明にあっては、全体にほぼ均一な通気性を備えた断熱壁３自身を、吸気用の通気路とすることにて、断熱壁３について湿気が局所に偏在することを抑制し、しかも、断熱壁３を吸気用の通路とするため、空気もれがなく（断熱壁３を空気の排出に関与させず）、排気手段１０にて効率よく換気を行うことが可能である。
【０００９】
本願第２の発明に係る家屋では、上記本願第２の発明に係る家屋にあって、上記の断熱壁３が、気密２乃至３の素材にて形成されたことを特徴とする。
尚、気密２（気密３）とは、１立法メートルの空間当たり、２立方センチメートル（３立方センチメートル）の穴が開いている場合の漏気量に相当する気密性をいう。ここで漏気量とは、室外側から室内側への空気の侵入量をいう。
【００１０】
このような構成を採ることにより、本願の第２の発明に係る家屋は、本願第１の発明に係る家屋と同様の作用を奏すると共に、特に断熱壁３を気密２乃至３程度の気密性とすることにて、吸気し難くなく且つ家屋内部での空気の移動を阻害する空気もれが生じ難い、換気効率の最適な家屋を提供し得た。
【００１１】
本願第３の発明に係る家屋では、上記本願第１又は第２の発明に係る家屋にあって、部屋空間５の外部に、空気を浄化する浄化手段２８が設けられ、部屋空間５と浄化手段２８との間には、部屋空間５で生じた排気の少なくとも一部を浄化手段２８へ排出する内排気路２９と、浄化手段２６にて浄化された空気を部屋空間５へ戻す再帰路３０とが形成されたことを特徴とする。
【００１２】
本願第３の発明に係る家屋では、上記本願第１又は第２の発明に係る家屋と同様の作用を奏すると共に、部屋空間５の排気の少なくとも一部を排気路２９から浄化手段２８へ送り、当該浄化手段２８にて浄化した後、再帰路３０にて、部屋空間５戻すことを可能とした。
【００１３】
【発明の実施の形態】
以下、図面に基づき本願発明の実施の形態について説明する。
図１及び図４へ本願発明の一実施の形態を示す。図１はこの家屋１００の略縦断面図であり、図２はその通気経路を示す説明図である。また、図３は、この家屋１００の要部を示す一部切欠要部略横断面図である。図４は、この家屋１００の上階の要部を示す一部切欠要部略横断面図である。
【００１４】
図１へ示す通り、この家屋１００は、木造建築の家屋であり、柱や梁などの構造材１と、構造材１を支持する土台２１と、構造材１の上部を覆う屋根２と、構造材１に取り付けられ断熱壁３と、断熱壁３の外部を覆う外壁４と、断熱壁３の内側を覆い部屋空間５を形成する内装壁６と、内装壁６の上部に設けられた天井７と、排気を集める排気集合部８と、排気集合部８と家屋外部と連絡する排気孔９と、排気集合部８に配設されたコンプレッサなどの排気手段１０と、外壁４と断熱壁３との間に設けられた第１通気路１１と、第１通気路１１と家屋外部とを連絡する外気取り入れ部１２と、部屋空間５と排気集合部８とを連絡する第２連絡孔１３と、断熱壁３と内装壁６との間に設けられた第２通気路１４と、内装壁６に設けられ当該第２通気路１４と部屋空間５とを連絡する第１連絡孔１５とを備える。
【００１５】
そして、この家屋１００では、断熱壁３全体がほぼ均一な通気性を有するものであり、当該断熱壁３が吸気用の通気路として、排気手段１０により、外気取り入れ部１２から第１通気路１１内へ取り入れた外気を断熱壁３全体から第２通気路１４へ導入し、更に第１連絡孔１５より部屋空間５へ当該外気の全部或いは一部を導入し、第２連絡孔１３より排気集合部８へ部屋空間５内の空気を移行させ、上記の排気孔９より外部へ排出するものである。
各部の構成について、更に詳しく述べる。
【００１６】
この実施の形態において、部屋空間５は、上階（上階空間５ａ）と下階（下階空間５ｂ）の少なくとも２階からなるものであり、上階と下階とは、上階床１６と、下階天井１７と、上階床１６と下階天井１７との間に設けられた第３通気路１８とにて区画されたものである。
【００１７】
上階床１６には、第３通気路１８と上階空間５ａとを連絡する第４連絡孔１９が形成され、下階天井１７には、第３通気路１８と下階空間５ｂとを結ぶ第３連絡孔２０が形成されている。
上記の屋根２と天井７とは屋根裏空間２１を形成し、更に、下階床２２と、構造材１を支持する土台２３との間には床下空間２４が形成されている。
下階床２２には、下階空間５ｂと床下空間２４とを連絡する第５連絡孔２５が形成されている。
第３通気路１８と屋根裏空間２１との間には、両者を連絡する第４通気路２６が形成されている。
屋根裏空間２１と床下空間２４との間には、両者を連絡する第５通気路２７が形成されている。
【００１８】
この実施の形態において、上記の第１連絡孔１５は、下階空間５ｂと第２通気路１４とを連絡するものであり、更に第２通気路１４は、上記第３通気路１８に繋がっている。
床下空間２４には、空気を浄化する浄化手段２８が設けられており、第４通気路２６と屋根裏空間２１と第５通気路２７とが、部屋空間５で生じた排気の一部を浄化手段２８へ排出する内排気路２９を構成する。また、第５連絡孔２５は、浄化手段２６にて浄化された空気を部屋空間５へ戻す再帰路３０を構成している。
【００１９】
また、この実施の形態において、上階空間５ａは、上階間仕切り５０にて、複数の部屋に仕切られ、また下階空間５ｂは、下階間仕切り５１にて、複数の部屋に仕切られている。この下階間仕切り５１の内部には、第６通気路３１が形成されており、この第６通気路３１は、床下空間２４と第３通気路１８とを連絡する。また、上階間仕切り５０の内部には、第７通気路３２が形成されており、この第７通気路３２は、第３通気路１８と屋根裏空間２１とを連絡する。
【００２０】
上記の下階間仕切り５１には、第６通気路３１と下階空間５ｂとを連絡する第６連絡孔３３が形成されている。上記の上階間仕切り５０には、第７通気路３２と上階空間５ａとを連絡する第７連絡孔３４が形成されている。
この実施の形態において、この第６通気路３１とその第６連絡孔３３も、上記の再帰路３０の一部を構成しており、また、第７通気路３２は、上記の内排気路２９の一部を構成している。
【００２１】
上記の第１通気路１１は、家屋１００の断熱壁３の周囲を下方から上方に伸びるものであり、上記の外気取り入れ部１２は、第１通気路１１の下方に形成された開口部である。
上記の断熱壁３は、最近注目を集めている外断熱工法により形成するのが好ましく、気密０．３乃至３０の気密性（通気性）のものを採用するのが好ましい。その中でも、断熱壁３には、気密１．５乃至３．５の漏気量のものが好適であり、特に、気密２乃至３の漏気量のものが最適である。即ち、このような気密性（通気性）をその全体に渡って均一に備えた断熱壁３を用いることにて、特に断熱壁３の特定の箇所に通気孔を穿つことなく、排気により、同時に、断熱壁３を通じた外気の導入を適切に行い得るのである。
断熱壁３の気密の値は、上記よりも小さくても逆に大きくても、断熱壁３の吸気の効率を低減させてしまう。当該数値が上記よりも小さい場合は、当然空気が通り難くなるからである。逆に大きい場合については、例えば、日常経験することであるが、窓を大きく開け放した部屋では、換気扇の効きが悪く、隙間を設ける程度に小さく窓を開けて換気扇を回したほうが、部屋全体の換気が速やかに行えるものである。本願発明に係る家屋１００では、このような経験則を利用し、適度な通風の抵抗を作りだすことにて、家屋の壁の各部からの空気のほぼ均一な吸引を実現したものである。
断熱壁３の素材として、硬質の発砲ウレタンなどの発泡性材料を用いて実施するのが好ましく、特にコスト面で、硬質ポリウレタンフォームを採用するのが好ましい。しかし、断熱性・防音性を有し、上記の気密性を全体に渡ってほぼ均一に確保できる素材であれば、そのような他の素材を用いて実施することが可能である。また、発砲ウレタンを用いる場合も、他の素材を用いる場合も、断熱壁３は、パネル材を用いて形成するのが、好ましい。不定形な断熱素材を用いるよりも、複数の定形なパネルユニットを配列して断熱壁３を形成するほうが、施工が簡単で、作業者に熟練者を要さず、工期短縮の面でも有利だからである。断熱材３は、家屋によって、種々の厚みのものが採用されるが、上記の素材にて形成される断熱材３では厚みを変えることによって、上記の気密性（漏気量）は変化しない。
尚、ここで、木造建築における外断熱工法とは、家屋を支持する柱や梁などの構造材の外側に断熱材（断熱壁）が配設されたものをいう。
具体的には、ここでいう木造家屋における外断熱工法とは、図３へ示す通り、柱などの構造材１よりも屋外側Ｇに、断熱材（断熱壁３）が、配設されるものをいう。図３へ示すように、この家屋１００において、柱の構造材１の屋内側Ｈには、部屋の内装を担う上記の内装壁６が配設されており、断熱壁３と外壁４と構造材１，１とに囲まれた空間が上記の第２通気路１４である。これに対して、従来の木造家屋における内断熱工法では、この第２通気路１４となる空間に断熱材が設けられる。即ち、内断熱工法では、上記の家屋１００のように、構造材１，１より屋外側Ｇに断熱材（断熱壁３）を設けるのではなく、構造材１，１間に、断熱材を内挿するのである。
図３へ示すように、断熱壁３の屋外側Ｇには、スペーサｓを介して、上記の外壁４が固定されている。スペーサｓを介することにて、断熱壁３と外壁４との間に空間が形成される。この空間が前述の第１通気路１１である。上記のスペーサｓは、ビスをねじ込むなどの方法にて断熱壁３に固定され、断熱壁３に対しその厚み分の間隔を隔てて外壁４を支持する、通気層胴縁である。
【００２２】
上記の通り、断熱壁３自身を通気路とすることにて、断熱壁３について湿気が局所に偏在することなく、しかも、断熱壁３の各部が均一に吸気用の通路となるため、空気もれがなく（断熱壁３は空気の排出には関与せず）、排気手段１０にて効率よく換気を行うことが可能である。
即ち、吸気用コンプレッサなどの吸気手段を別途用意することなく、排気手段１０のみにて、吸気及び排気の双方を行うことを可能とし、吸気手段を排除し得た。
断熱壁３以外の構成、特に、第１乃至第７の通気路について、その始点と終点及びその途中に形成された各連絡孔以外の部位は、通気性を持たないものとするのが好ましい。
【００２３】
断熱壁３は、上記の構成によって、吸気用の通路とされるのであるが、この家屋１００では、特に、上記と共に断熱壁３周辺に次の構成を採ることによって、断熱壁３の吸気能率を高めている。
即ち、断熱壁３の表面（屋外側の面）のほぼ全体を、第１通気路１１内にて適切に開放されたものとする。具体的には、外壁４にて、断熱壁３表面のほぼ全体を覆うと共に、断熱壁３表面の各位置と外壁４の間について、一定の間隔を設け、この間隔を、１５乃至２５ｍｍとするのである。当該間隔について、より好ましくは、１８乃至２５ｍｍであり、最も望ましいのは約２１ｍｍである。
上記の間隔を設けておくことにて、断熱壁３全体から吸気を行うのに最適な空気の通路を提供することができる。この間隔は、上記よりも小さくても逆に大きくても、断熱壁３の吸気の効率を低減させてしまう。これについては、断熱壁３の気密性を上述の通り設定するのと同様の経験則に基づく。
また、この家屋では、断熱壁３の表面からの空気の家屋への導入を、更に効果的に行うために、第１通気路１１周辺について、次の構成を採っている。
即ち、屋根２は、屋根裏空間２１の上方を外部と画する屋根本体３７と、当該屋根本体３７の上面を覆う屋根ふき部３８と、屋根ふき部３８の頂部に形成された通気部３９とにて構成され、屋根本体３７と屋根ふき部３８との間には、通気路４０が形成されている。そして、下端に外気取り入れ部１２が形成された上記の第１通気路１１の上端は、この通気路４０の下端に連絡し、通気路４０の上端は、上記の通気部３９に連絡している。通気が下方から上方に向かおうとする性質にて、外気取り入れ部１２に入った外気は、第１通気路１１内を上昇し、通気路４０を経て、家屋１００の最上部に位置する通気部３９より、再び外部へ放出される。このように、第１通気路１１内を下方から上方へ空気を移動させることにて、断熱壁３の表面全域に渡り余すところなく、外気を供給することができ、断熱壁３のほぼ全域にて吸気を行うことをより確実にしている。
【００２４】
上記の浄化手段２８としては、備長炭パウダや、多機能床下調湿剤を用いる。備長炭パウダによる空気の浄化は、主として防湿や、カビ・ダニ・白蟻の排除に適する。また、床下調湿剤としては、炭、珪藻土、特に稚内珪藻土、パールライト（珪質貢岩と呼ばれる、珪藻土が化石化したもの）が適しており、これらによる空気の浄化は、殺菌、脱臭、調湿に効果的である。
【００２５】
この実施の形態の家屋１００では、換気と共に、室温の調整などの空調も同時に行うことを可能としている。具体的には、屋根裏空間２１において、上記の第５通路２７の入り口にエアコン（エアーコンディショナ）などの空調手段３５が設けられ、屋根裏空間２１から当該第５通路２７に導入される空気について、その温度や湿度の調整を可能としている。また、この実施の形態では、換気能力を高めるために、屋根裏空間２１へ、第４通気路２６にコンプレッサなどの補助換気手段３６が設けられている。排気手段１０、補助換気手段３６及び空調手段３５といった上記の装置については、これら装置全てで、２時間程度で家屋１００内（部屋空間５、屋根裏空間２１及び床下空間２４）の空気を、全て入れ換えられる能力を有するものであればよい。
このように２台のコンプレッサ（排気手段１０と補助換気手段３６）やエアコンなどの空調手段３５などを用意するものとしても、この家屋１００は、換気効率が高いことから、これら装置の合計出力は従来の家屋に設けられる排気手段と吸気手段の合計出力よりもはるかに小さいもので済む。従って、本願発明に係る家屋１００では、個々のコンプレッサやエアコンに能力の低いものを採用することができる。このため、本願発明に係る家屋では、換気装置について従来のような受注生産による専用で大型の装置が不要となり、市販の装置を用いることができ、経済的である。また、これらの装置も低能力のものでよいので、小型の組み込み式のものを採用することができ、大型の装置では置くことができない屋根裏空間２１などの制約されたスペースにも配置することが可能となった。
但し、上記の空調手段３５や補助換気手段３６は設けずに実施することも可能であり、また設ける場合も、屋根裏空間２１以外の位置に設置するものとしても実施可能である。
【００２６】
ここで、家屋１００全体における空気の流れについて説明すると、上記の排気手段１０を駆動することにて下記経路の空気の移動を起こすことができる。
先ず、図１及び図２へ示すように、外気取り入れ部１２から第１通気路１１内へ外気が導入される。導入された外気は、断熱壁３を通り抜け、第２通気路１４内へ導かれる（図２の経路ａ）。導かれた外気の一部は、第１連絡孔１５を通って部屋空間５へ入る（図２の経路ｂ）。このように部屋空間５内に入った空気は、第２連絡孔１３から排気集合部８に排出され（図２の経路ｅ）、この排気集合部８から、排気孔９を通って家屋１００外部へ排出される（図２の経路ｋ）。
第２通気路１４内へ導かれた外気の他の一部は、部屋空間５に入らず内排気路２９を経て床下空間２４（図２の経路ｆ，ｇ，ｈ）へ導かれる。そして、床下空間２４に設けられた浄化手段２８にて浄化された空気が、部屋空間５へ導入される（図２の経路ｉ）。
【００２７】
この実施の形態では、前述の通り、部屋空間５は、上階空間５ａと下階空間５ｂとにて構成され、更に上階空間５ａと下階空間５ｂの夫々は、上階間仕切り５０、下階間仕切り５１にて、複数の部屋に仕切られているので、この点に留意して更に空気の流れについて詳しく説明する。
【００２８】
外気取り入れ部１２から第１通気路１１、更に断熱壁３を経て、第２通気路１４内へ導かれた外気の一部は、第１連絡孔１５を通って、下階空間５ｂに入り（図２の経路ｂ）、他の一部は、第２通気路１４から直接第３通気路１８へ入る（図２の経路ｆ）。
【００２９】
下階空間５ｂに入った上記空気は、第３連絡孔２０から第３通気路１８内へ入り（図２の経路ｃ）、その一部が第４連絡孔１９及び第７通気路３２の第７連絡孔３４を通って上階空間５ａへ入る（図２の経路ｄ）。上階空間５ａへ入った空気は、第２連絡孔１３を通って、排気集合部８に導かれ（図２の経路ｅ）、排気集合部８から排気孔９を通って屋外へ排出される（図２の経路ｋ）。
一方、（第３連絡孔２０から（図２の経路ｃ）、更に上記の第２通気路１４から直接（図２の経路ｆ））第３通気路１８内へ入った（図２の経路ｇ）他の空気は、内排気路２９を経て床下空間２４へ導かれ（図２の経路ｈ）、床下空間２４に設けられた浄化手段２８にて浄化され、再帰路３０にて再び、下階空間５ｂへ導入される（図２の経路ｉ）。即ち、当該他の空気は、第３通気路１８から第４通気路２６、屋根裏空間２１、第５通気路２７を経て床下空間２４へ入って（図２の経路ｇ，ｈ）浄化された後、第５連絡孔２５から、更に第６通気路３１の第６連絡孔３３から、再び下階空間５ｂへ導かれる（図２の経路ｉ）。この実施の形態では、第６通気路３１の第６連絡孔３３も、前記の再帰路３０を構成しているのである。また、この実施の形態において、床下空間２４は、第２通気路１４に連絡しており、床下空間２４へ入った空気の一部は、再び第２通気路１４へ導かれる（図２の経路ｊ）。
【００３０】
上記の通り、床下空間２４から第２通気路１４に入った空気は、新たに断熱壁３から導入された外気と共に、以降上記の経路を繰り返す。
また、床下空間２４から第６通気路３１に入った空気のうち、第６連絡孔３３を通らない他のものは、更に第６通気路３１を上方に進み、第３通気路１８に入る。このように第６通気路３１を経て第３通気路１８にはいった空気は、第２通気路１１及び下階空間５ｂから第３通気路１８へ入った空気と共に、以降上記の経路を繰り返す。
【００３１】
上記の通り、断熱壁３から家屋１００内に導入された空気は、一部が直接部屋空間５へ導入され、他の一部が部屋空間５へ入る前に（内排気路２９を経由することにて）直接浄化手段２８へ導入され浄化された後、部屋空間に入る。このため、新鮮な外気の導入を居住者などの生活空間となる部屋空間５へ行うと共に、防カビや殺菌、脱臭などの処理が施された浄化済の空気を（再帰路３０を経て) 部屋空間５へ導入するものである。
更に部屋空間５にて、消耗した空気の一部を家屋１００外部へ排出すると共に消耗の程度が低い空気（上記の実施の形態では、下階空間５ｂのみにて使用された空気）を（内排気路２９を経由させることにて）浄化手段２８にて浄化し、再利用するものである。このように、一旦部屋空間５へ入った空気の一部を再利用するメリットは、空調手段３５による冷暖房など空調の効率を高めるためである。
【００３２】
尚、この実施の形態において、第２通気路１４は、上階（２階）まで伸びていない。即ち、図４へ示す通り、上階（２階）において、断熱壁３と内装壁６との間は、階下の第２通気路１４、更には、第３通気路１８とも、屋根裏空間２１とも通じていない、孤立した空間ｎとなっている。図１では、第４通気路２６或いは第５通気路２７を配置するための収容部ｍが見えている。この収容部ｍは、内装壁６を室内側に張り出させて形成した空間であり、上記の孤立空間ｎは当該収容部ｍに隠れて見えない。詳しくは、図１では、上階の断熱壁３付近について、図４へ示すＸ−Ｘ線にて断面視した状態となって、孤立空間ｎは見えないのである。
但し、上階の孤立空間ｎも、第３通気路１８や屋根裏空間２１と連絡するように形成し、第２通気路１４として利用することも可能である（図示しない）。この場合、家屋１００は、断熱壁３全体を吸気用の通気路とし、排気手段１０にて、外気取り入れ部１２から第１通気路１１内へ取り入れた外気を断熱壁３のほぼ全体から第２通気路１４へ導入することができ、湿気の偏在の抑制により効果を奏することができる。
また、一般的に、家屋に入って外気よりも温まった空気は、室内の下方より上方へ移動する性質を持つ。このため、図１に示す本願発明に係る家屋１００では、（屋根裏などの）家屋の上部に排気手段１００や排出孔９を形成して、上記の空気の流れを利用して家屋内での通気をより一層効率的なものとしている。
このように排気手段１０は屋根裏空間２１に設けたが、家屋１００内外の他の位置に設けるものとしても実施可能である。例えば、床下空間２４に排気手段１０を設けて実施することも可能である。浄化手段２８についても、床下空間２４以外の、家屋１００内外の他の位置に設けるものとしても実施可能である。例えば、屋根裏空間２１へ浄化手段２８を設けて実施することも可能である。
但し、浄化効率を上げようと、断熱壁３から屋内へ導入した空気の全てを（内排気路２９にて提供される経路ｈを経ずに）先ず床下の浄化手段２８へ通すものとすると、上記の空調による熱交換が行い難くなるので、上記の通り、一部を浄化手段２８へ送るものとし、その経路途中で空調手段３５を通過させるものとするのが好ましい。
但し、浄化手段２８への経路ｈ途中に上記空調手段３５を設けるのではなく、他の経路に空調手段３５を設けるものとしても実施可能である。
【００３３】
また、上記の実施の形態では、１階で使用された空気が、内排気路２９及び再帰路３０にて浄化手段２８経由で再利用され、２階で使用された空気は全て排出されるものとした。この他、２階に入った空気の一部も浄化手段２８を経由させて再利用するものであっても実施可能である。また、平屋の場合は、１階の空気の一部を浄化手段２８を経由させて再利用するものとして実施する。
また、３階建ての家屋では、１階のみから排出され空気のみを浄化手段２８を経由させるものとしてもよく、また１階と２階でのみ使用された空気を浄化手段２８に経由させるものとしてもよい。
また、２階建てや３階建ての家屋では、下階と上階との空気の経路を独立したものとしても実施可能である。例えば、図１及び図２へ示す実施の形態と異なり、２階へ導入される空気は、１階を経由しないものとしても、実施可能である。この場合、各階毎に排気経路と再利用の経路とを設けるものとすればよい。
【００３４】
【発明の効果】
本願第１の発明の実施によって、木造建築の家屋について、断熱壁自身を吸気用の通路とすることにて、湿気の問題を排除しつつ、換気の効率を高めた。
このような換気効率の向上を可能としたことにて、排気手段とは別途の吸気手段を用意せずとも、排気用コンプレッサなどの排気手段のみにて、吸気も行い得るものとした。また、吸気用コンプレッサなどの吸気手段と上記の排気用コンプレッサなどの排気手段との両方を用意する場合も、夫々に従来のような高出力のものを用意する必要がなくなった。
この結果、排気用コンプレッサなどの排気手段や、吸気用コンプレッサなどの吸気手段に、専用のものを用意する必要がなくなり、提出力の市販のものにて足るものとなり、コストの低減に多大な効を奏するものである。
従って、本願第１の発明を実施することにて、湿気の排除に優れ、換気効率の高い木造住宅を提供することを可能とした。
【００３５】
本願第２の発明の実施によって、上記本願第１の発明の効果を得るに最適な家屋を提供し得た。
【００３６】
本願第３の発明の実施によって、上記本願第１又は第２の発明の効果を得ると共に、部屋空間にて消耗した空気を屋外へ全部排気してしまうのではなく、少なくともその一部を浄化手段にて浄化し再利用することを可能とした。
【図面の簡単な説明】
【図１】本発明に係る一実施の形態の略建て断面図である。
【図２】上記の実施の形態における空気の流れを示す説明図である。
【図３】上記の実施の形態の一部切欠要部略横断面図である。
【図４】上記の実施の形態の家屋１００の上階の要部を示す一部切欠要部略横断面図である。
【符号の説明】
３    断熱壁
４    外壁
５    部屋空間
６    内装壁
８    排気集合部
１０    排気手段
１１    第１通気路
１２    外気取り入れ部
１３    第１連絡孔
１４    第２通気路
１５    第２連絡孔
【図１】
0003697456.tif 000002
【図２】
0003697456.tif 000003
【図３】
0003697456.tif 000004
【図４】
0003697456.tif 000005